(57)【要約】【課題】沸騰温度水を短時間にかつ燃料費少なくかつ安全に得る。また、夏期のキッチンの快適性を向上する。【解決手段】給湯器本体１のケーシング２内に分離板３を設け、分離板３で仕切られた一方の空間に、沸騰温度水よりも低温の温水を得る温水用熱交換器４と、温水用熱交換器４を加熱する温水用バーナ５とを設け、他方の空間に、沸騰温度またはそれに近い温度の沸騰温度水を得る沸騰温度水用熱交換器６と、沸騰温度水用熱交換器６を加熱する沸騰温度水用バーナ７とを設ける。温水用熱交換器４は、給水管８に接続された温水用配管９に介装し、温水用配管９の先端に温水供給口１０を設け、温水を供給するように構成する。沸騰温度水用熱交換器６は、温水用配管９の途中箇所に接続された沸騰温度水用配管１１に介装し、沸騰温度水用配管１１の先端に沸騰温度水供給口１２を設け、沸騰温度水を供給するように構成する。【選択図】図１
2007120925.tif 000002
【特許請求の範囲】
【請求項１】
沸騰温度またはそれに近い温度の沸騰温度水を供給する沸騰温度水供給口と、
沸騰温度水よりも低温の温水を供給する温水供給口と、
前記沸騰温度水供給口と給水管とを接続する沸騰温度水用配管に介装されて沸騰温度水を得る沸騰温度水用熱交換器と、
前記沸騰温度水用熱交換器を加熱する沸騰温度水用バーナと、
前記温水供給口と給水管とを接続する温水用配管に介装されて温水を得る温水用熱交換器と、
前記温水用熱交換器を加熱する温水用バーナと、
を備えたことを特徴とする先止め式ガス給湯器。
【請求項２】
請求項１に記載の先止め式ガス給湯器において、
沸騰温度水用熱交換器に供給される水の温度を測定する入口側温度センサと、
前記沸騰温度水用熱交換器から取出される沸騰温度水の温度を測定する出口側温度センサと、
前記沸騰温度水用熱交換器に供給される水量を測定する水量測定手段と、
前記入口側温度センサで測定される温度と、前記水量測定手段で測定される水量とに基づいて、前記沸騰温度水用熱交換器で沸騰温度水を得るのに必要な加熱熱量を算出する熱量算出手段と、
前記熱量算出手段で算出された加熱熱量が得られるとともに前記出口側温度センサで測定される沸騰温度水用熱交換器から取出される沸騰温度水の温度が沸騰温度になるように沸騰温度水用バーナに供給する燃料ガスの供給量を調節する燃料ガス供給量制御手段と、
を備えている先止め式ガス給湯器。
【請求項３】
請求項１または２に記載の先止め式ガス給湯器を用いたガス給湯システムであって、
沸騰温度水供給口に接続されて流し台またはその近傍に沸騰温度水を供給する沸騰温度水供給配管と、
前記沸騰温度水供給口に接続されて流し台またはそれに接続された排水用配管に排水する沸騰温度水排水配管と、
沸騰温度水を前記沸騰温度水供給配管側に流す状態と前記沸騰温度水排水配管側に流す状態とに切替える切替手段と、
を備えているガス給湯システム。
【請求項４】
請求項３に記載のガス給湯システムにおいて、
沸騰温度水供給配管に、水蒸気を分離する水蒸気分離器を設け、前記水蒸気分離器に、分離された水蒸気を排出する水蒸気排出部と、水蒸気が分離された沸騰温度水を流下供給する沸騰温度水供給部とを設けてあるガス給湯システム。
【発明の詳細な説明】
【技術分野】
【０００１】
本発明は、沸騰温度またはそれに近い温度の沸騰温度水と、沸騰温度水よりも低温の温水とを供給できるように構成した先止め式ガス給湯器およびそれを用いたガス給湯システムに関する。
【背景技術】
【０００２】
お茶やコーヒー、紅茶を入れる場合とか、ラーメンや焼きそば、スープ、カップ麺などのインスタント食品を作る場合、従来一般に、やかんや鍋などで少量の湯を沸かすようにしている。ところが、沸騰状態まで湯を沸かすのに時間がかかる問題があり、かつ、これらの少量の湯を得るために、やかんや鍋などを必要とするために、手間を要して面倒であるという問題や、少量のために空焚きするという安全上の問題があった。また、必要量以上の湯を沸かしがちで湯が無駄になるとともに燃料コスト（ガス代や電気代）が高くなる問題があった。また、燃焼排熱が室内に付加されるために、特に夏期には快適性を低下させていた。
上述の時間がかかる問題を回避するものとして、高温の湯を貯めるとともにその高温状態に維持するように加熱する電気ポットがあるが、常に、必要量以上の湯を確保して保温しているために、無駄に湯を沸かすことになるとともに保温のために一層電気代が高くなる問題があった。また、外出時や就寝時には、電源を入れて放置することに安全上の不安が残り、電源を切る場合が多いが、この場合、直ぐに湯を得ることができないという問題があった。
【０００３】
また、従来、蛇口から沸騰水が得られるようにしたものとして、次のようなものがあった。
すなわち、流し台のカウンター部のシンクの後部に、混合水栓蛇口と、浄水用蛇口と、沸騰水用蛇口とが設けられている。
水道水を供給する水供給管の途中から分岐管が分岐され、その分岐管に浄水器が接続されている。浄水器の出口に浄水管と沸騰水用配管とが接続されるとともに沸騰水用配管に沸騰水用蛇口が接続され、沸騰水用配管の途中に加熱装置が設けられている。
【０００４】
加熱装置は、浄水器で浄化された浄水を沸騰水とするための熱源と、生成された沸騰水を貯湯するための加熱タンクとを備えて構成されている。また、加熱タンクに貯められた沸騰水が所定温度になると熱源により自動的に再加熱して沸騰水状態を保つように構成されている。これにより、沸騰水用蛇口から沸騰水を供給して、お茶やコーヒーを入れることができるようになっている（特許文献１参照）。
【特許文献１】特開２００３−９６８４９号公報
【発明の開示】
【発明が解決しようとする課題】
【０００５】
しかしながら、上述の公報例の場合、次のような欠点があった。
沸騰水を常時沸騰水用蛇口から出せて便利に構成してはいるものの、沸騰水を加熱タンクに貯め、その貯められた沸騰水を沸騰水状態に保つように自動的に再加熱するものであり、従来の電気ポットの場合と同様に、常に、必要量以上の湯を確保しているために、その保温のために一層電気代が高くなる問題があった。また、電気ポットと同様に、外出時や就寝時に加熱電源を入れて放置することに安全上の不安が残るものであった。更に、電気ヒータは、発電所の効率を考えると、一次エネルギー換算での効率は３５％程度と小さく、省エネルギーの面で問題があった。
【０００６】
本発明は、上記の点に鑑みてなされたものであって、請求項１に係る発明は、沸騰温度水を短時間にかつ燃料費少なく得ることができるようにすること、および、夏期のキッチンの快適性を向上することを目的とし、請求項２に係る発明は、沸騰温度またはそれに近い温度に良好に制御することにより、過大な水蒸気の発生を防止して安全性を高めること、および、燃料費を一層低減できるようにすることを目的とし、請求項３に係る発明は、沸騰温度水を安全に供給できるようにすることを目的とし、請求項４に係る発明は、安全性を一層向上できるようにすることを目的とする。
【課題を解決するための手段】
【０００７】
請求項１に係る発明の先止め式ガス給湯器は、上述のような目的を達成するために、
沸騰温度またはそれに近い温度の沸騰温度水を供給する沸騰温度水供給口と、
沸騰温度水よりも低温の温水を供給する温水供給口と、
前記沸騰温度水供給口と給水管とを接続する沸騰温度水用配管に介装されて沸騰温度水を得る沸騰温度水用熱交換器と、
前記沸騰温度水用熱交換器を加熱する沸騰温度水用バーナと、
前記温水供給口と給水管とを接続する温水用配管に介装されて温水を得る温水用熱交換器と、
前記温水用熱交換器を加熱する温水用バーナとを備えて構成する。
【０００８】
（作用・効果）
請求項１に係る発明の先止め式ガス給湯器の構成によれば、通常の温水、すなわち、沸騰温度水よりも低温の温水は温水用熱交換器および温水用バーナで加熱して温水供給口から供給し、沸騰温度水は、沸騰温度水用熱交換器および沸騰温度水用バーナで加熱して沸騰温度水供給口から供給することができる。
したがって、沸騰温度水を専用の沸騰温度水用熱交換器および沸騰温度水用バーナで加熱して得るから、少量の場合はもちろんのこと湯量が多い場合でも短時間に得ることができる。
しかも、タンクなどに貯めておかずに、電気ヒータに比べて熱効率が格段に高いガスバーナを用い、必要なときに必要量だけ沸騰温度水を得ることができるから、燃料費を少なくできる。また、電気ヒータと異なり、常時加熱しておく必要が無いので、より安全になる。
また、専用の沸騰温度水供給口から沸騰温度水を供給するから、給湯時に注意を促しやすくて安全である。また、燃焼排熱は屋内に排出されることが無いので、夏期のキッチンの快適性が向上する。また、一次エネルギー換算での効率は８０％以上が実現でき、省エネルギーとなる。
【０００９】
また、請求項２に係る発明は、前述のような目的を達成するために、
請求項１に記載の先止め式ガス給湯器において、
沸騰温度水用熱交換器に供給される水の温度を測定する入口側温度センサと、
前記沸騰温度水用熱交換器から取出される沸騰温度水の温度を測定する出口側温度センサと、
前記沸騰温度水用熱交換器に供給される水量を測定する水量測定手段と、
前記入口側温度センサで測定される温度と、前記水量測定手段で測定される水量とに基づいて、前記沸騰温度水用熱交換器で沸騰温度水を得るのに必要な加熱熱量を算出する熱量算出手段と、
前記熱量算出手段で算出された加熱熱量が得られるとともに前記出口側温度センサで測定される沸騰温度水用熱交換器から取出される沸騰温度水の温度が沸騰温度になるように沸騰温度水用バーナに供給する燃料ガスの供給量を調節する燃料ガス供給量制御手段とを備えて構成する。
【００１０】
（作用・効果）
請求項２に係る発明の先止め式ガス給湯器の構成によれば、入口側温度センサで測定される沸騰温度水用熱交換器に供給される水の温度と、水量測定手段で測定される沸騰温度水用熱交換器への供給水量とによって沸騰温度水を得るに必要な加熱熱量を算出し、その熱量が得られるように燃料ガス供給量を制御するとともに、出口側温度センサで測定される沸騰温度水用熱交換器から取出される沸騰温度水の温度により沸騰温度水が得られているかどうかを確認しながら燃料ガス供給量を制御する。
先止め式のため、給湯器内の水圧は大気圧より高くなっており、従って大気圧下での沸騰温度の１００℃では沸騰しない。そのため、加熱量が過大になった場合には、出口側温度センサにより１００℃より高い温度を検出することができ、その結果、１００℃レベルの制御が容易になる。これに対して元止め式の場合、過大に加熱しても１００℃以上にならず、制御が困難であり、多量の水蒸気が蛇口から発生する危険を生じる。
したがって、必要最小限の燃料ガス供給量で沸騰温度水を得ることができるから、燃料費を一層低減できる。また、過大な水蒸気の発生を防止できるので、火傷等の危険を防止することができる。
【００１１】
また、請求項３に係る発明は、前述のような目的を達成するために、
請求項１または２に記載の先止め式ガス給湯器を用いたガス給湯システムであって、
沸騰温度水供給口に接続されて流し台またはその近傍に沸騰温度水を供給する沸騰温度水供給配管と、
前記沸騰温度水供給口に接続されて流し台またはそれに接続された排水用配管に排水する沸騰温度水排水配管と、
沸騰温度水を前記沸騰温度水供給配管側に流す状態と前記沸騰温度水排水配管側に流す状態とに切替える切替手段とを備えて構成する。
【００１２】
（作用・効果）
請求項３に係る発明のガス給湯システムの構成によれば、沸騰温度水を供給するときには、切替手段により沸騰温度水排水配管側に流す状態から沸騰温度水供給配管側に流す状態に切替える。これにより、最初に沸騰温度になるまでの水を沸騰温度水排水配管側に流すことができ、その間の高温の水、水蒸気を手元の沸騰温度水供給配管側に流さなくて済む。これにより、沸騰温度水になってから、例えば、コーヒーカップとかカップ麺のカップなどを手元の沸騰温度水が供給される箇所の下に置き、沸騰温度水供給配管側に切替えて沸騰温度水を供給することができ、沸騰温度水を安全に供給できる。
沸騰温度水排水配管から流し台に排水する場合、その先端は流し台の低い位置とすることが安全上好ましい。これにより、高温の排水と水蒸気の飛散を防止することができる。例えば、流し台のシンクの底面から上方５ｃｍ以下とする。
沸騰温度排水配管は流し台の内部で流し台の排水配管に接続するのが見栄えの点で好ましい。
【００１３】
また、請求項４に係る発明は、前述のような目的を達成するために、
請求項３に記載のガス給湯システムにおいて、
沸騰温度水供給配管に、水蒸気を分離する水蒸気分離器を設け、前記水蒸気分離器に、分離された水蒸気を排出する水蒸気排出部と、水蒸気が分離された沸騰温度水を流下供給する沸騰温度水供給部とを設けてあるガス給湯システム。
【００１４】
（作用・効果）
請求項４に係る発明のガス給湯システムの構成によれば、沸騰温度水の供給初期など、沸騰温度水中に蒸気が混じっている場合でも、その蒸気を水蒸気排出部で排出し、蒸気を分離して沸騰温度水を沸騰温度水供給部から供給することができる。
したがって、混入蒸気に起因して沸騰温度水が飛び散ったりすることを回避でき、安全性を一層向上できる。
【発明の効果】
【００１５】
請求項１に係る発明の先止め式ガス給湯器の構成によれば、通常の温水、すなわち、沸騰温度水よりも低温の温水は温水用熱交換器および温水用バーナで加熱して温水供給口から供給し、沸騰温度水は、沸騰温度水用熱交換器および沸騰温度水用バーナで加熱して沸騰温度水供給口から供給することができる。
したがって、沸騰温度水を専用の沸騰温度水用熱交換器および沸騰温度水用バーナで加熱して得るから、少量の場合はもちろんのこと湯量が多い場合でも短時間に得ることができる。
しかも、タンクなどに貯めておかずに、電気ヒータに比べて熱効率が格段に高いガスバーナを用い、必要なときに必要量だけ沸騰温度水を得ることができるから、燃料費を少なくできる。また、電気ヒータと異なり、常時加熱しておく必要が無いので、より安全になる。
また、専用の沸騰温度水供給口から沸騰温度水を供給するから、給湯時に注意を促しやすくて安全である。また、燃焼排熱は屋内に排出されることが無いので、夏期のキッチンの快適性が向上する。また、一次エネルギー換算での効率は８０％以上が実現でき、省エネルギーとなる。
【発明を実施するための最良の形態】
【００１６】
次に、この発明の実施例について図面を参照しながら説明する。
【実施例１】
【００１７】
図１は、本発明に係る先止め式ガス給湯器の実施例１を示す構成図、図２は本発明に係る先止め式ガス給湯器を用いた給湯システムを示す側面図であり、給湯器本体１のケーシング２内に分離板３が設けられ、その分離板３で仕切られた一方の空間に、沸騰温度水よりも低温の温水を得る温水用熱交換器４と、その温水用熱交換器４を加熱する温水用バーナ５とが設けられ、他方の空間に、沸騰温度またはそれに近い温度の沸騰温度水を得る沸騰温度水用熱交換器６と、沸騰温度水用熱交換器６を加熱する沸騰温度水用バーナ７とが設けられている。分離板３は、ガスの燃焼熱の拡散を防止できるので熱効率の低下の防止、安全性の向上の点で有用である。
【００１８】
温水用熱交換器４は、給水管８に接続された温水用配管９に介装され、その温水用配管９の先端に温水供給口１０が設けられ、温水を供給するように構成されている。
また、沸騰温度水用熱交換器６は、温水用配管９の途中箇所に接続された沸騰温度水用配管１１に介装され、その沸騰温度水用配管１１の先端に沸騰温度水供給口１２が設けられ、沸騰温度水を供給するように構成されている。
温水用熱交換器４は、風呂の追い焚き用循環配管１３にも介装され、温水用熱交換器４によって風呂の追い焚きをも行えるように構成されている。
【００１９】
温水用熱交換器４と並列に、給水管８と温水用配管９とにわたって、バイパス流量調節弁１４を介装した温水温度調節用のバイパス配管１５が接続されている。
温水用バーナ５には、温水用バーナ用開閉弁１６と温水用バーナ用流量調節弁１７とを介装した温水用バーナ用ガス供給管１８から燃料ガスを供給するように構成されている。
沸騰温度水用バーナ７には、沸騰温度水用バーナ用開閉弁１９と沸騰温度水用バーナ用流量調節弁２０とを介装した沸騰温度水用バーナ用ガス供給管２１から燃料ガスを供給するように構成されている。沸騰温度水の要求があった場合、温水要求の有無にかかわらず、温水用バーナ５を点火させ、温水用熱交換器４により昇温することが好ましい。
【００２０】
給水管８には、供給される水の温度を測定する給水温度センサ２２と、給水量を測定する給水量センサ２３とが設けられている。
温水用配管９には、温水用熱交換器４から出た温水の温度を測定する温水用出湯温度センサ２４と、温水供給口１０から取出される温水量を測定する温水量センサ２５とが設けられている。更に、温水用配管９のバイパス配管１５との接続箇所よりも下流側に、温水供給口１０から取出される温水の温度を測定する給湯温度センサ２６と、温水用の過流出防止水量調節弁２７とが設けられている。
沸騰温度水用配管１１には、沸騰温度水用熱交換器から取出される沸騰温度水の温度を測定する出口側温度センサ２８と、沸騰温度水用の過流出防止水量調節弁２９とが設けられている。
沸騰温度水用熱交換器６および沸騰温度水用バーナ７の容量を小さくできる好ましい方法として、沸騰温度水の要求があった時点で、温水の要求の有無にかかわらず、温水用熱交換器４の出口温度をなるべく高く設定する。例えば、６０〜８０℃とする機能を具備させるのが有効である。これにより、沸騰温度までの昇温幅を小さく、例えば、２０〜３０℃とすることができる。この場合、温水の要求されている温度までの冷却はバイパス配管１５への流量をバイパス流量調節弁１４により増すことで、温水用配管９への流量を低減することにより実現できる。
【００２１】
図２に示すように、流し台３０に沸騰温度水を供給する沸騰温度水供給配管３１が設けられ、その沸騰温度水供給配管３１が切替手段としての切替弁３２と中間配管３３を介して沸騰温度水供給口１２に接続されている。切替弁３２には沸騰温度水排水配管３４が接続され、その沸騰温度水排水配管３４が、流し台３０のシンク３０ａに接続された排水用配管３５の途中箇所に接続されている。
【００２２】
切替弁３２は、沸騰温度水排水配管３４側に流す状態を中間にして、全閉状態と、沸騰温度水供給配管３１側に流す状態とにわたって切替可能で、かつ、沸騰温度水供給配管３１側に流す状態で流量調節可能な三方弁で構成されている。
中間配管３３の切替弁３２より上流側箇所に温度計３６が設けられ、その温度計３６により沸騰温度（１００℃の温度）になったことを確認して、沸騰温度水排水配管３４側に流す状態から沸騰温度水供給配管３１側に流す状態に切替えることができるように構成されている。
【００２３】
沸騰温度水供給配管３１には、図３の給湯システムの要部の正面図に示すように、水蒸気を分離する水蒸気分離器３７が設けられ、その水蒸気分離器３７に、分離された水蒸気を排出する水蒸気排出部３７ａと、水蒸気が分離された沸騰温度水を流下供給する沸騰温度水供給部３７ｂとが設けられている。これにより、沸騰温度水中に混入した水蒸気が沸騰温度水供給配管３１から飛び散ることを防止できるようになっている。
【００２４】
給水量センサ２３、温水量センサ２５、温水用出湯温度センサ２４および出口側温度センサ２８がコントローラ３８に接続され、そのコントローラ３８に沸騰温度水用バーナ用流量調節弁２０および警報器３９が接続されている。
コントローラ３８には、図４のブロック図に示すように、沸騰温度水量測定手段４０、熱量算出手段４１、比較手段４２および燃料ガス供給量制御手段４３が備えられている。
【００２５】
水量測定手段４０では、給水量センサ２３で測定される給水量から温水量センサ２５で測定される温水供給量を減算して沸騰温度水用熱交換器６に供給される温水量を算出するようになっている。
熱量算出手段４１では、水量測定手段４０で測定される温水量と、温水用出湯温度センサ２４で測定される沸騰温度水用熱交換器６に供給される温水の温度とに基づき、沸騰温度水用熱交換器６で沸騰温度水を得るのに必要な加熱熱量を算出するようになっている。
【００２６】
比較手段４２では、出口側温度センサ２８で測定される沸騰温度水用熱交換器６から取出される沸騰温度水の温度と沸騰温度である１００℃と比較し、１００℃になったときに比較出力を警報器３９に出して警報器３９を作動し、「ピッ、ピッ」といった警報音を発生させて沸騰温度水が得られたことを報知するとともに、比較出力を燃料ガス供給量制御手段４３に出すようになっている。警報器３９は省略することも可能である。
【００２７】
燃料ガス供給量制御手段４３では、熱量算出手段４１で算出された熱量を得るのに必要な弁開度を求め、その弁開度が得られるように沸騰温度水用バーナ用流量調節弁２０に制御出力を出して開度を調節するようになっている。また、比較手段４２からの比較出力に応答して、燃料ガス供給量制御手段４３からの制御出力に優先してそのときの開度を維持するようになっている。これにより、出口側温度センサ２８によって、沸騰温度水が得られていることを確認できるようになっている。
【００２８】
図示しないが、コントローラ３８では、温水量センサ２５での給水要求による温水用バーナ５の点火、給水量センサ２３と温水量センサ２５との流量差による沸騰温度水の要求による沸騰温度水用バーナ７の点火などに加え、通常の先止め式ガス給湯器において行われる動作を自動的に行うように構成されている。
【００２９】
この実施例１の構成によれば、温水使用状態で沸騰温度水を供給する場合に、温水用熱交換器４で加熱された温水を沸騰温度水用熱交換器６で加熱するために、沸騰温度水をより短時間で得られる利点がある。また、沸騰温度水用熱交換器６の大きさを小さくできる利点がある。
【実施例２】
【００３０】
図５は、本発明に係る先止め式ガス給湯器の実施例２を示す構成図であり、実施例１と異なるところは次の通りである。
すなわち、給水管８の温水用熱交換器４よりも上流側箇所から沸騰温度水用配管１１が分岐接続され、その沸騰温度水用配管１１に沸騰温度水用熱交換器６が介装されるとともに、沸騰温度水用熱交換器６の上流側に水量測定手段としての水量センサ５１が付設されている。他の構成は実施例１と同じであり、同一図番を付すことによりその説明は省略する。
【００３１】
この実施例２において、沸騰温度水用バーナ用流量調節弁２０に対する制御を行う場合、実施例１の水量測定手段４０が不要で、水量センサ５１で測定された水量を熱量算出手段に入力すれば良い。また、入口側温度センサとして、実施例１の温水出湯用温度センサ２４に代えて、給水温度センサ２２が使用される。
【００３２】
上述実施例において、例えば、カップ麺に沸騰温度水を１０〜２０秒程度で５００ｃｃ程度供給する場合を考えれば、給水量は１．５〜３．０リットル／分となり、加熱能力は１０〜２０ｋＷであり、電気ヒータでは電気容量が大型のものになってしまうのに比べ、ガス給湯器としては比較的小型のもので済む利点を有している。
【００３３】
本発明によって得られる沸騰温度水としては、土鍋に使用することにより、その調理時間を短縮できる利点がある。また、例えば、冷しゃぶ用などの煮野菜をも容易に調理できる利点があり、更に、解凍や殺菌にも利用できる利点がある。
【００３４】
沸騰温度水供給配管３１としては、流し台とは別にコンロ台や調理台の近くに設けるようにしても良い。また、食器洗浄機に組み込み、食器洗浄にも使用できるようにしても良い。この場合、従来の６０℃〜７０℃の温水を使用する場合に比べ、洗浄効果を高めるとともに洗浄時間の短縮と使用水量の低減を図ることができるという効果がある。
【００３５】
沸騰温度水を流す、沸騰温度水用配管１１、沸騰温度水供給配管３１および沸騰温度水排水配管としては、保温および火傷防止の安全面から温水を流す配管系よりも断熱性の高い材料で被覆することが好ましい。特に、沸騰温度水供給配管３１は、手に触れる危険があるため、セラミックやプラスチックなどの高断熱材で被覆するのが好ましい。
【００３６】
また、沸騰温度水供給口１２から切替弁３２までの配管に対し、その配管径を小さくするとか、絞りを入れるなどにより、温水配管系におけるよりも流動抵抗を大きくし、多量の沸騰温度水が急激に出ないようにするのが好ましい。この場合、出口での流速が大きくならないように、沸騰温度水供給配管３１は、その配管径を大にするなどにより流動抵抗が小さくならないようにするのが好ましい。このような構成によれば、沸騰温度水供給口１２から切替弁３２までの配管中の流速が大きくなり、配管系の熱容量が小さくなって沸騰温度水が出るまでの時間を短くできるとともに捨てる沸騰温度水の量を少なくできる利点がある。
【００３７】
本発明としては、温水用熱交換器４および沸騰温度水用熱交換器６の上流側に浄水器を設けても良い。
上記警報器３９としては、ランプなどを用いても良い。また、沸騰温度水が得られたことを感知する手段として、出口側温度センサ２８に代えてバイメタルなど各種の手段が採用できる。本発明としては、沸騰温度水が出るまでの時間は、使用に伴って経験的に判断できるようになることから、温度計３６や警報器３９を設けないものでも良い。
【００３８】
切替手段としては、切替弁３２に代えて、沸騰温度水供給配管３１および沸騰温度水排水配管３４それぞれに流量調節弁を設けて構成するものでも良い。
上記水蒸気排出部３７ａとしては、そこからの水蒸気が人体と離れた箇所に排出できるように構成される。また、そこから沸騰温度水が出ないように構成される。すなわち、重力により沸騰温度水供給部３７ｂから沸騰温度水の全量が排出されるように配管径を設定する。例えば、給水量が１．５〜３．０リットル／分に対して、内径が８〜２０ｍｍ程度に設計される。
【００３９】
また、給水圧力は各需要家によって異なるので、中間配管３３に開度が調整可能な絞りを設け、切替弁３２の入口での水圧を調整できるようにするのが好ましい。このような調整を行うことによって、過大な水量の沸騰温度水が供給されることによる火傷、低水温の給水、ならびに、過少水量の給水それぞれを防止でき、有用である。
【図面の簡単な説明】
【００４０】
【図１】本発明に係る先止め式ガス給湯器の実施例１を示す構成図である。
【図２】本発明に係る先止め式ガス給湯器を用いた給湯システムを示す側面図である。
【図３】給湯システムの要部の正面図である。
【図４】ブロック図である。
【図５】本発明に係る先止め式ガス給湯器の実施例２を示す構成図である。
【符号の説明】
【００４１】
４…温水用熱交換器
５…温水用バーナ
６…沸騰温度水用熱交換器
７…沸騰温度水用バーナ
８…給水管
９…温水用配管
１０…温水供給口
１１…沸騰温度水用配管
１２…沸騰温度水用供給口
２２…給水温度センサ（入口側温度センサ）
２４…温水用出湯温度センサ（入口側温度センサ）
２８…出口側温度センサ
３０…流し台
３０ａ…シンク
３１…沸騰温度水供給配管
３２…切替弁（切替手段）
３４…沸騰温度水排水配管
３５…排水用配管
３７…水蒸気分離器
３７ａ…水蒸気排出部
３７ｂ…沸騰温度水供給部
４０…沸騰温度水量測定手段
４１…熱量算出手段
４３…燃料ガス供給量制御手段
５１…水量センサ（水量測定手段）
【図１】
2007120925.tif 000003
【図２】
2007120925.tif 000004
【図３】
2007120925.tif 000005
【図４】
2007120925.tif 000006
【図５】
2007120925.tif 000007